(57)【要約】      （修正有）【課題】原稿に拘わらずセット位置の視認性に優れ原稿読取装置の読取部を共用可能で、かつ厚紙やカードなどの可撓性原稿にダメージを与えることなく製品外形がコンパクトな原稿読取装置を提供する。【解決手段】ＡＤＦ２は、供給トレイ３１を有し原稿を供給する供給部３０と、スキャナ３の第１の読取部１０に対向するように配置され、供給部３０から供給された原稿の他面側を読み取る第２の読取部４０と、供給トレイ３１の下方に配置された第１および第２の排出口６０、７０と、可撓性原稿を、供給トレイ３１を始点として読取部１０、４０の一側を経て他側に搬送し第１の排出口６０を介して排出するための第１の搬送路Ｐ１と、不撓性原稿を、供給トレイ３１を始点として読取部１０、４０の他側を経て一側に搬送し第２の排出口７０を介して排出するための第２の搬送路Ｐ２とを備えている。【選択図】図２
2016127380.tif 000002
【特許請求の範囲】
【請求項１】
シートを積載する供給トレイと、
前記供給トレイから原稿を供給する供給部と、
前記供給部から供給される前記原稿が搬送される供給搬送路と、
搬送された前記原稿を読み取る原稿読取手段と、
前記原稿を前記原稿読取手段へ搬送する読取搬送部と、
前記原稿読取手段へ前記原稿が搬送される読取搬送路と、
前記原稿読取手段で読み取られた前記原稿を排出するための排出口と、を備え
前記供給搬送路と前記読取搬送路とは互いに交差する方向に搬送路を形成し、
前記読取搬送部は、前記原稿に当接して搬送する第１の位置と、前記読取搬送路から離れて退避する第２の位置に移動可能な移動手段を有し、
前記読取搬送部は、前記給送部と前記原稿読取手段との間に配置されることを特徴とする原稿読取装置。
【請求項２】
前記読取搬送路は、前記供給トレイと前記原稿読取手段との間に、前記原稿を落下させて搬送方向を変更するためのチャンバ内の空間を搬送路の一部として含むことを特徴とする請求項１に記載の原稿読取装置。
【請求項３】
前記原稿読取手段と前記排出口との間に、前記読取搬送路に沿うように前記原稿を案内するためのガイド部材が配されており、前記ガイド部材は前記チャンバの少なくとも一面を構成していることを特徴とする請求項２に記載の原稿読取装置。
【請求項４】
原稿の一面側を読み取る第１の原稿読取手段を備えた原稿読取装置であって、原稿搬送装置と一体化された原稿読取装置において、
前記原稿搬送装置が、
供給トレイを有し前記原稿を供給する供給部と、
前記供給部から供給された原稿の他面側を読み取る第２の原稿読取手段と、
前記供給トレイの下方に配置され、前記第１ないし第２の原稿読取手段で読み取られた原稿を排出するための第１および第２の排出口と、
可撓性原稿用の搬送路であって、前記原稿を、前記供給トレイを始点として前記第１ないし第２の原稿読取手段の一側を経て他側に搬送し前記第１の排出口を介して排出するための第１の搬送路と、
不撓性原稿用の搬送路であって、前記原稿を、前記供給トレイを始点として前記第１ないし第２の原稿読取手段の他側を経て一側に搬送し前記第２の排出口を介して排出するための第２の搬送路と、
前記第２の搬送路にあって、前記第１ないし第２の原稿読取手段へ、前記原稿を送り出す読取搬送部と、を備え、
前記読取搬送部は、前記原稿に当接して搬送する第１の位置と、前記読取搬送路から離れて退避する第２の位置に移動可能な移動手段を有し、
前記読取搬送部は、前記給送部と前記原稿読取手段との間に配置されることを特徴とする原稿読取装置。
【請求項５】
前記読取搬送部は、前記第１の位置では前記第１の搬送路を塞ぎ、前記チャンバ内の少なくとも一面と当接する位置に配置され、前記第２の位置では前記第１の搬送路を通過して退避する位置に配置されることを特徴とする請求項４項に記載の原稿読取装置。
【請求項６】
前記チャンバ内には、さらに原稿搬送補助手段を備え、
前記原稿を落下させて搬送方向を変更する際に、当該原稿を前記読取搬送路へ押し出すことを特徴とする請求項４に記載の原稿読取装置。
【請求項７】
前記ガイド部材の一端に、さらに前記供給部から落下した原稿を検知する原稿落下検知手段を備え、
前記原稿が前記供給部から供給され、所定時間経過後に前記原稿落下検知手段が検知しない時に、前記原稿搬送補助手段を動作させることを特徴とする請求項６に記載の原稿読取装置。
【発明の詳細な説明】
【技術分野】
【０００１】
本発明は原稿読取装置に係り、特に、原稿の一面側を読み取る原稿読取手段を備えた原稿読取装置であって、通常のシート原稿とクレジットカードなどのカード原稿を共通の原稿読取手段を用いて読取可能な原稿読取装置に関する。
【背景技術】
【０００２】
従来、スキャナ、ファクシミリ、複写機等の原稿読取装置が広く知られている。このような原稿読取装置は原稿読取部を備えており、原稿を自動的に原稿読取部（プラテン）上に搬送するＡＤＦ（オートドキュメントフィーダ）等の原稿搬送装置と一体化されて使用される場合が多い。
【０００３】
この種の原稿読取装置の中には、一体化された原稿搬送装置で普通紙等の可撓性原稿や厚紙やカード等の不撓性原稿を搬送して、搬送された原稿の表裏面を読み取る原稿読取装置が知られている。
【０００４】
例えば、特許文献１では、普通紙と厚紙の読み取りを両立させるために、原稿搬送装置において、普通紙を上方から給紙しＵターン搬送して下方に排出する搬送路を採用する一方で、厚紙は、普通紙の給紙トレイの下方に配置された排紙トレイから供給し、ストレート状に原稿読取部を経て装置外に排出する搬送路を採用している。
【０００５】
また、特許文献２では、普通紙と厚紙の読み取りを両立させるために、原稿搬送装置において、普通紙を上方から給紙しＵターン搬送して下方に排出する搬送路を採用する一方で、厚紙は、普通紙と共用の給紙トレイから供給し、ストレート状に原稿読取部を経て装置外に排出する搬送路を採用している。
【先行技術文献】
【特許文献】
【０００６】
【特許文献１】特開平８−１５２８８２号公報（図１、図２参照）
【特許文献２】特開２００７−０４９３００号公報（図１参照）
【発明の概要】
【発明が解決しようとする課題】
【０００７】
ところで、特許文献１には、普通紙（可撓性原稿）と厚紙（不撓性原稿）の読み取りを両立させるために給紙位置を異ならせることでＵターンパスとストレートパスを持つ原稿読取装置が開示されているが、厚紙の給紙部が普通紙の供給部の下方（普通紙の排出部）に配置されるため、ユーザにとって、厚紙をセットする際にセット位置を認識することが難しく、通常の使い勝手とは異なるという課題がある。また、特許文献２には、この課題を解決する形で給紙部を普通紙と厚紙とで共用し、Ｕターンパスとストレートパスを持つ原稿読取装置が開示されているが、読取部が上方の位置に限定されるため、原稿の表裏面のいずれか一方の読み取りを原稿読取装置の読取部と共用できない構成となっている。
【０００８】
本発明は上記事案に鑑み、原稿に拘わらずセット位置の視認性に優れ原稿読取装置の読取部を共用可能で、かつ厚紙やカードなどの可撓性原稿にダメージを与えることなく製品外形がコンパクトな原稿読取装置を提供することを課題とする。
【課題を解決するための手段】
【０００９】
上記課題を解決するために、本発明の第１の態様は、シートを積載する供給トレイと、供給トレイから原稿を供給する供給部と、供給部から供給される原稿が搬送される供給搬送路と、搬送された原稿を読み取る原稿読取手段と、原稿を原稿読取手段へ搬送する読取搬送部と、原稿読取手段へ原稿が搬送される読取搬送路と、原稿読取手段で読み取られた原稿を排出するための排出口と、を備え、供給搬送路と読取搬送路とは互いに交差する方向に搬送路を形成し、読取搬送部は、原稿に当接して搬送する第１の位置と、読取搬送路から離れて退避する第２の位置に移動可能な移動手段を有し、読取搬送部は、給送部と原稿読取手段との間に配置されることを特徴とする。
【００１０】
第１の態様において、装置の小型化を図るために、読取搬送路は、供給トレイと原稿読取手段の間に、原稿を落下させて搬送方向を変更するためのチャンバ内の空間を搬送路の一部として含むようにしてもよい。このとき、さらに装置の小型化を図るために、供給搬送路と読取搬送路とが交わる位置に、読取搬送路に沿うように原稿を案内するためのガイド部材が配されており、ガイド部材はチャンバの少なくとも一面を構成していることが好ましい。
【００１１】
また、上記課題を解決するために、本発明の第２の態様は、原稿の一面側を読み取る第１の原稿読取手段を備えた原稿読取装置であって、原稿搬送装置と一体化された原稿読取装置において、原稿搬送装置が、供給トレイを有し原稿を供給する供給部と、供給部から供給された原稿の他面側を読み取る第２の原稿読取手段と、供給トレイの下方に配置され、第１ないし第２の原稿読取手段で読み取られた原稿を排出するための第１および第２の排出口と、可撓性原稿用の搬送路であって、原稿を、供給トレイを始点として第１ないし第２の原稿読取手段の一側を経て他側に搬送し第１の排出口を介して排出するための第１の搬送路と、不撓性原稿用の搬送路であって、原稿を、供給トレイを始点として第１ないし第２の原稿読取手段の他側を経て一側に搬送し、第２の排出口を介して排出するための第２の搬送路と、第２の搬送路にあって、第１ないし第２の原稿読取手段へ、原稿を送り出す読取搬送部と、を備え、読取搬送部は、原稿に当接して搬送する第１の位置と、読取搬送路から離れて退避する第２の位置に移動可能な移動手段を有し、読取搬送部は、給送部と原稿読取手段との間に配置される。
【００１２】
また、小型化された製品の中に可撓性原稿用の搬送路と不撓性原稿用の搬送路とを形成する為に、読取搬送部は、第１の位置では第１の搬送路（可撓性原稿用の搬送路）を塞ぎ、チャンバ内の少なくとも一面と当接する位置に配置され、第２の位置では第１の搬送路を通過して退避する位置に配置されるようにしてもよい。
【００１３】
さらに、チャンバ内には原稿搬送補助手段を備え、原稿を落下させて搬送方向を変更する際に、原稿を読取搬送路へ押し出すようにしてもよい。
【００１４】
さらに、ガイド部材の一端に、供給部から落下した原稿を検知する原稿落下検知手段を備え、原稿が供給部から供給され、所定時間経過後に原稿落下検知手段が検知しない時に、原稿搬送補助手段を動作させるようにしてもよい。
【発明の効果】
【００１５】
本発明によれば、供給搬送路と読取搬送路とが互いに交差する方向に搬送路を形成する画像読取装置で、原稿を供給する供給部と読取を行う原稿読取手段との間に、原稿に当接して搬送する位置と、読取搬送路から離れて退避する位置とに移動可能な移動手段を有する読取搬送部を備えることで、カードや厚紙などの不撓性原稿にダメージを与えることなく搬送し、読取が行えるという効果を得ることができる。
【００１６】
また、装置内に設けたチャンバ内を落下させ、搬送方向を変えてから読取搬送部を移動して原稿に当接させるため、不撓性原稿の搬送方向の長さの許容量が増え、さらに搬送経路をコンパクトに形成できるので、製品の外形を小型化することができる。
【図面の簡単な説明】
【００１７】
【図１】本発明が適用可能な実施形態のＡＤＦ装着スキャナの正断面図である。
【図２】実施形態のＡＤＦ装着スキャナの要部拡大正断面図である。
【図３】傾斜部材の拡大正面図である。
【図４】繰出しローラ、供給ローラおよび分離ローラの関係を模式的に示す斜視図である。
【図５】ＡＤＦのカード搬送動作を示す説明図その１であり、カードが第２の供給口にセットされた状態を示す。
【図６】ＡＤＦのカード搬送動作を示す説明図その２であり、カードが供給ローラで搬送されカード後端が供給ローラと分離ローラとでニップされたぎりぎりの状態を示す。
【図７】ＡＤＦのカード搬送動作を示す説明図その３であり、カードが供給ローラと分離ローラとのニップから開放された状態を示す。
【図８】ＡＤＦのカード搬送動作を示す説明図その４であり、カードの先端部がリードローラにニップされた状態を示す。
【図９】ＡＤＦのカード搬送動作を示す説明図その５であり、カードが水平搬送路上を搬送されている状態を示す。
【図１０】ＡＤＦのカード搬送動作を示す説明図その６であり、カードが第２の排出トレイに排出された状態を示す。
【図１１】（ａ）及び（ｂ）図は、リードローラが退避位置及び進出位置に移動した状態を示す。
【図１２】リードローラを支持移動するアーム部内部構成を示す説明図。
【図１３（ａ）】傾斜部材切り欠いて設けた傾斜部をカードが搬送される状態を示す説明図。
【図１３（ｂ）】傾斜部材の突出ガイド部に沿って普通紙原稿が搬送される状態を表す説明図。
【図１４】ＡＤＦの全体斜視図
【図１５】カード原稿読取制御のフローチャート
【発明を実施するための形態】
【００１８】
以下、図面を参照して、本発明をＡＤＦ装着スキャナに適用した実施の形態について説明する。
【００１９】
（構成）
＜全体構成＞
図１に示すように、本実施形態のＡＤＦ装着スキャナ１は、原稿読取装置としてのスキャナ３に原稿搬送装置としてのＡＤＦ２が装着されることで構成されている。ＡＤＦ装着スキャナ１はスキャナ３側でパーソナルコンピュータ等の図示しない上位機器に接続されており、上位機器からのコマンド（指令）に従って原稿の表裏面を読み取るように構成されている。なお、ＡＤＦ２はスキャナ３に、スキャナ３は上位機器に、それぞれ図示しないコネクタ付ケーブルを介して接続されている。
【００２０】
＜スキャナ３＞
図１および図２に示すように、スキャナ３は上面が開口した箱状のフレーム１１を有しており、開口部は透明なコンタクトガラス（フラットベッド読取ガラス）１２で封口されている。フレーム１１の内側両端部間には、長手方向（図１の左右）に沿って原稿の一面側を読み取る第１の読取部１０を摺動可能に保持する円柱状のガイドシャフト１５が架設されている。
【００２１】
また、スキャナ３は、フレーム１１の内側に、第１の読取部１０をスキャナ３の長手方向に沿って移動させる図示しないタイミングベルトを有している。第１の読取部１０は、一面が開口した箱状の筺体内に、光源、ロッドレンズ、光電変換素子を有して構成されている。このため、スキャナ３は、コンタクトガラス１２上に、例えば、シート状の原稿が載置された場合に、第１の読取部１０を移動させつつ原稿の一面側を読み取ることができる。
【００２２】
コンタクトガラス１２の一側（図１、２の左側）には、フレーム１１とともにスキャナ３の筺体の一部を構成する樹脂製の傾斜部材１４を介して、コンタクトガラス１２より若干上側の位置に、フレーム１１に形成された開口を封口する透明なコンタクトガラス（ＡＤＦ読取ガラス）１３が嵌め込まれている。
【００２３】
図２および図３に示すように、傾斜部材１４の一側下部には、コンタクトガラス１２に当接するガラス当接部１４ａが形成されており、このガラス当接部１４ａとコンタクトガラス１２との間には図示しない粘着剤が介在している。傾斜部材１４の他側下部には、コンタクトガラス１３を下方から支えるガラス支持部１４ｅが形成されており、このガラス支持部１４ｅとコンタクトガラス１３との間には図示しない粘着剤が介在している。
【００２４】
また、傾斜部材１４は、図３の紙面手前側に水平方向に対して傾斜した傾斜部１４ｂを有しており、図３の紙面奥側にはＡＤＦ２側に湾曲状に突出した突出ガイド部１４ｄが形成されている。
【００２５】
さらに、傾斜部１４ｂの一端側には、傾斜部１４ｂを溝状に切り欠くことで傾斜部材１４を水平方向に矯正するガイド当接部１４ｃが形成されている。ガイド当接部１４ｃが溝状に形成されている（傾斜部材１４に窪みが形成されている）理由については後述する（＜傾斜部材１４＞参照）。なお、図１および図２では、第１の読取部１０がホーム位置（初期設定位置）に位置付けられた状態を示している。
【００２６】
スキャナ３は、最も一側寄り（図１、２の左側）の位置に排出トレイ１６を有している。排出トレイ１６の一端部側（図１、２の下側）には軸受が固着しており、フレーム１１に突設されたピンに対しこの軸受が回動することで、排出トレイ１３の他側部がＡＤＦ２のカバーフレーム２１に当接する折りたたみ位置（図２の実線参照）と排出された原稿を受け入れる原稿受け入れ位置（図２の二点鎖線参照）との間で回動可能に構成されている。
【００２７】
また、スキャナ３は、上位機器の指令（コマンド）に従って働くマイクロコンピュータとページメモリ等のメモリを有する図示しない制御部を有しており、制御部は、第１の読取部１０で読み取ったデータを上位機器に送信する。また、制御部は、ＡＤＦ２の第２の読取部４０（後述）が読み取ったデータも併せて上位機器に転送する機能を有している。なお、制御部は必ずしも上述したメモリを必須とするものではなく、例えば、データの送信（転送）先がコピー機等のプリンタの場合には、データをメモリに一時的に格納することなくプリンタのメモリに直接送信（転送）するようにしてもよい。
【００２８】
さらに、フレーム３には、ホーム位置に位置付けられた第１の読取部１０より一側（図１、２の左側）寄りの位置であって長手方向と交差する両側（図１および図２の紙面手前側および奥側）の位置に、ＡＤＦ２を構成するフレーム２１から下側（スキャナ３側）に向けて突設された２本の円柱状脚部（不図示）にそれぞれ嵌合する長孔状の脚受け（不図示）が形成されており、ＡＤＦ２の脚部がスキャナ３の脚受けに挿入されることにより、ＡＤＦ２がスキャナ３に装着され、スキャナ３（ホーム位置に位置付けられた第１の読取部１０）とＡＤＦ２（第２の読取部４０）との相対位置が定まる。
【００２９】
＜ＡＤＦ２＞
ＡＤＦ２は、大別して、供給トレイ３１を有し原稿を供給する原稿供給部３０と、原稿搬送路を有する本体部５０とで構成されており、図１に示すように、供給トレイ３１は、供給トレイ３１の長手方向の先端３２とは反対側の基端３３側で本体部５０に装着・保持されている。なお、供給トレイ３１は基端３３側が本体部５０に着脱可能に構成されていてもよい。
【００３０】
１．原稿供給部３０
図２に示すように、供給トレイ３１には、基端３３に対し先端３２寄りの位置に、不撓性原稿を本体部５０（の第２の搬送路Ｐ２）に案内するための第２の供給口３６が形成されている。第２の供給口３６は供給トレイ３１に対して斜設されており、供給トレイ３１を貫通している。なお、本実施形態では、操作性を高めるために、第２の供給口３６は供給トレイ３１の幅方向（長手方向と交差する方向）の一側（図１、２の紙面手前側）に形成されているが、他側（図１、２の紙面奥側）に形成されていてもよい。
【００３１】
また、供給トレイ３１は、基端３３に対し本体部５０側に延設され供給トレイ３１より厚さの薄い板状の延設部３４を有している。延設部３４は、供給トレイ３１に載置された可撓性原稿が、本体部５０側に配されたローラ（後述する繰出しローラ５１、供給ローラ５２）に巻き込まれないようにするために設けられたものである。
【００３２】
なお、供給トレイ３１は、供給トレイ３１に載置された可撓性原稿を検出するための反射型センサ（不図示）と、第２の供給口３６に装填（セット）された不撓性原稿を検出するための透過型センサ（不図示）とを有している。
【００３３】
２．本体部５０
図２に示すように、本体部５０は、ＡＤＦ２の筺体の一部を構成し本体部５０を上側から覆うカバーフレーム２１と、同様にＡＤＦ２の筺体の一部を構成し本体部５０の下側を覆うとともに、内底面側で不撓性原稿を案内するガイドとしても機能するガイドフレーム２６とを有している。また、供給トレイ３１の下方には排出トレイ２２が配置されているが、本実施形態ではガイドフレーム２６が延設されて排出トレイ２２を構成している。
【００３４】
本体部５０の内部かつ供給トレイ３１の延設部３４の先端近傍には、可撓性原稿を案内するための略水平（コンタクトガラス１２と平行）な搬送ガイド２４が配置されている。搬送ガイド２４の上方には可撓性原稿を繰り出す繰出しローラ４１が配置されており、搬送ガイド２４と繰出しローラ４１との間で形成される空間が可撓性原稿を本体部５０側に供給するための第１の供給口３５とされている。
【００３５】
従って、可撓性原稿を第１の搬送路Ｐ１に案内するための第１の供給口３５と、不撓性原稿を第２の搬送路Ｐ２に案内するための第２の供給口３６とは、供給トレイ３１の先端３２（図１参照）とは反対側の基端３３を跨ぎ、第２の供給口３６が供給トレイ３１の搬送方向上流側に位置に形成されている。また、可撓性原稿および不撓性原稿は、供給トレイ３１を始点としてそれぞれ第１の搬送路Ｐ１および第２の搬送路Ｐ２に案内される。
【００３６】
操出しローラ４１の可撓性原稿搬送方向下流側には給紙ローラ４２が配されている。給紙ローラ４２は、搬送ガイド２４から延設された延設部に一端が固着したバネにより給紙ローラ４２側に付勢され供給トレイ３１上に重ねて載置された可撓性原稿を分離するための分離パッド４９に当接している。
【００３７】
操出しローラ４１の軸芯と給紙ローラ４２の軸芯とは、両側が連結部材３８に軸支されており、図示しないギアを介して同期して回転するように構成されている。連結部材３８には、供給トレイ３１に可撓性原稿をセットする際の突き当ての目安となる（可撓性原稿をセットした際に原稿が給紙ローラ４２と分離パッド４９とで構成される分離部に押し込まれることを防止する）シャッタ３９がカバーフレーム２１に対して回動可能に取り付けられている。
【００３８】
搬送ガイド２４から延設された延設部はさらに延設されており、このさらに延設された部分に複数のコロが配置されている。コロの可撓性原稿搬送方向下流側にはリードローラ４３（駆動ローラ）が配置されており、リードローラ４３に対向してニップローラ４４が配置されている。また、リードローラ４３の可撓性原稿搬送方向下流側、かつ、スキャナ３のコンタクトガラス１３に対向する位置には、リードローラ４５が配置されている。なお、リードローラ４３とリードローラ４５との間には、可撓性原稿を案内するとともに、ＡＤＦ２の筺体の一部を構成するガイドフレーム２７が配されている。
【００３９】
リードローラ４５の可撓性原稿搬送方向下流側には、原稿供給部３０から供給された可撓性原稿および不撓性原稿の他面側を読み取る第２の読取部４０と、第２の読取部４０の下側を覆うコンタクトガラス２５とが配設されている。第２の読取部４０はスキャナ３の第１の読取部１０に対向するように配置されており、コンタクトガラス２５はスキャナ３のコンタクトガラス１３と平行に（略水平に）配置されている。第２の読取部４０は、第１の読取部１０と同様に、一面が開口した箱状の筺体内に、光源、ロッドレンズ、光電変換素子を有して構成されている。
【００４０】
第２の読取部４０の可撓性原稿搬送方向下流側には、リードローラ４６（駆動ローラ）が配置されている。リードローラ４６は、図１１に示すアーム部材７１の一端に回転自在に取り付けられている。アーム部材７１は、リードローラ４６が取り付けられた端部と対向する側で、アーム回動軸７２に回動自在に支持されている。
【００４１】
アーム回動軸７２は、図示しないモータの回転駆動により回動し、正転、逆転を制御することで、図１１（ａ）に示す上方に対しした退避位置と、図１１（ｂ）に示すガイドフレーム２６に当接する下側（スキャナ３の傾斜部１４側）に進出した進出位置にアーム部材７１及びリードローラ４６を移動させる。なお、アーム回動軸７２の駆動は、後述するリードローラ４７と共通のモータ（図示しない）を使用して電磁クラッチで連結し、搬送する原稿の方向に応じて電磁クラッチ（図示しない）のＯＮ−ＯＦＦを切り替え、制御しても良い。
【００４２】
図１２を用いて、リードローラ４６の動作をさらに詳しく説明する。図１１（ｂ）に示すガイドフレーム２６に当接する下側に進出した進出位置にアーム部材７１及びリードローラ４６を移動させる際、アーム回動軸７２を図中で示す左向きの回転で回し、回動させる。
【００４３】
アーム部材７１を振り下ろした向きと対向する向き（図中で示す右側から左側）に不撓性原稿を搬送する。アーム回動軸７２を軸として回動軸プーリー７４、ぷーリーギア７２、リードローラ４６の回転軸上にリードローラギア７５が順番に配置されている。
【００４４】
回動軸プーリー７４とプーリーギア７２の間には、さらに中継ベルト７３が掛けられ、アーム回動軸７２の回転がプーリーギア７２に伝達する。プーリーギア７２とリードローラギア７５は互いのギヤ歯が噛合しプーリーギア７２の回転がリードローラ４６に伝わる。これにより、アーム部材７１を振り下ろす動作と、リードローラ４６を不撓性原稿搬送方向に回転させる動作を共通の回転方向で駆動することができる。
【００４５】
また、リードローラ４６の可撓性原稿搬送方向下流側には、リードローラ４７（駆動ローラ）が配置されており、リードローラ４７に対向してニップローラ４８が配置されている。
【００４６】
また、第２の読取部４０の可撓性原稿搬送方向下流側には、斜設され可撓性原稿を搬送する際のガイド部材となる板状（断面形状が略直線状の）の搬送ガイド２３が配置されている。搬送ガイド２３とガイドフレーム２６とで画定される断面三角形状の空間（以下、チャンバＣｈ若しくはチャンバＣｈ内の空間という。）は、不撓性原稿を搬送するための搬送路としても機能する。
【００４７】
上述したように、第２の供給口３６は供給トレイ３１を貫通している。その先には、図２に示すように、供給ローラ５２、操出しローラ５１および分離ローラ５３が配置されている。図４に示すように、分離ローラ５３は供給ローラ５２に対向配置されており、操出しローラ５１は供給ローラ５２と同軸の両側に配置されている。操出しローラ５１は、半月状で供給ローラ５２より硬度の低い材質で構成されており、操出しローラ５１の半月状部分の平らな面の縁を不撓性原稿に当接させて回動させることにより第２の供給口３６に装填された不撓性原稿を１枚ずつ分離搬送する。
【００４８】
すなわち、操出しローラ５１の断面形状が単純な断面円形では操出力が弱いため、操出しローラ５１は半月状を呈しており、半月状部分の平らな面の縁で不撓性原稿を叩き落とす機能を発揮する。繰り出された不撓性原稿は供給ローラ５２と分離ローラ５３とのニップ点に到達する。後述するように不撓性原稿の例としてＩＣカードや磁気カードが挙げられるが、このような不撓性原稿の材質は樹脂であり表面がつるつるしている（摩擦力が低い）ため、硬度を下げ半月状部分を設けることで不撓性原稿の繰出しを確保している。なお、供給ローラ５２と操出しローラ５１との同軸上にはスリットが形成された図示しない円盤が嵌着しており、このスリットを透過型センサで検出することにより、操出しローラ５１の半月状部分の平らな面の位置を把握することができる。
【００４９】
図２に示すように、ガイドフレーム２６は上方に屈曲して再度下方に屈曲することで排出トレイ２２と一体化されている。この上方に屈曲し再度下方に屈曲する頂部の位置に、可撓性原稿を排出トレイ２２に排出する排出ローラ５４が配置されている。また、分離ローラ５３と同軸には排出ローラ５４に対向するローラが嵌着している（図４では不図示）。そして、排出ローラ５４とこれに対向するローラとのニップ点の右側寄りの位置が可撓性原稿を排出トレイ２２に排出するための第１の排出口６０とされている。
【００５０】
排出ローラ５４の下方には複数の羽根を有するパドル５５が配置されている。パドル５５にも上述した駆動ローラと同様にモータの回転駆動力が伝達され、この回転力により不撓性原稿の後端部に接触して、進出位置に位置付けられたリードローラ４６に不撓性原稿の先端が確実にニップされることをアシストする機能を有している。（パドル５５の制御方法に関しては後述するカードの搬送・読取動作の中でさらに詳しく説明する。）
【００５１】
また、搬送ガイド２３の他側端とガイドフレーム２６の頂部との間、および、搬送ガイド２３の一側端とガイドフレーム２６の一側端との間には、それぞれ、チャンバＣｈ内に不撓性原稿を案内し排出するための開口が形成されている。なお、チャンバＣｈ内のガイドフレーム２６の略水平から上方に屈曲する位置には、搬送ガイド２３の他側端とガイドフレーム２６の頂部との間の開口を介してチャンバＣｈ内に案内された不撓性原稿の落下を検出する原稿落下検知手段７８が配置されている。
【００５２】
図２に示すように、原稿落下検知手段７８は、ガイドフレーム２６の外側に回動支点を有し、落下してきた不撓性原稿の重量で下方に回動するセンサフラグ７６と、回動支点を挟んで対向する側に設けられた遮蔽部に有無により検知を行う原稿落下検知センサ７７（透過型センサ）とで構成されている。
【００５３】
センサフラグ７６は、その回動軸に不撓性原稿の重量に反発しない程度の弱い反発力を有するバネ（図示しない）を備えている。よって、不撓性原稿がチャンバＣｈ内に落下してセンサフラグ７６を押し下げていない時は、センサフラグ７６は押し上げられ、その他端の遮光部が原稿落下検知センサ７７を遮光している。
【００５４】
さらに、スキャナ３のコンタクトガラス１３の一側端部と、ガイドフレーム２７の先端部との間で画定される開口が、不撓性原稿をＡＤＦ２から排出するための第２の排出口７０とされている。なお、図１および図２から明らかなとおり、第１の排出口６０および第２の排出口７０は原稿供給部３０の下方に形成されており、本実施形態では、第２の排出口７０が第１の排出口６０より低い（スキャナ３側の）位置に配置されている。
【００５５】
上述した駆動ローラ４１〜４３、４５〜４７、および５１〜５４は単一のモータを駆動源として正逆の両方向に回転し、可撓性原稿を搬送する際と不撓性原稿を搬送する際とでは真逆の方向に回転する。一方、パドル５５は常に反時計廻り方向に回転する。また、ＡＤＦ２は、上位機器の指令に従ってスキャナ３のマイクロコンピュータのスレーブとして働くスレーブコンピュータを有する制御部を有しており、制御部は、供給トレイ３１やチャンバＣｈ内に配された原稿落下検知センサ７７の出力を監視するとともに、第２の読取部４０で読み取ったデータをスキャナ３の制御部（ページメモリ）に送信する。
【００５６】
３．搬送路
ＡＤＦ２は、可撓性原稿搬送用の第１の搬送路Ｐ１と、不撓性原稿搬送用の第２の搬送路Ｐ２とを有している。第１の搬送路Ｐ１は図２の紙面手前側から奥側までのほぼ全域に亘る搬送路であるのに対し、第２の搬送路Ｐ２は、本実施形態では、図２の紙面手前側の所定幅を有した搬送路である（図２の紙面奥側は第２の搬送路Ｐ２を構成しない。）。第１の搬送路Ｐ１は、可撓性原稿を、供給トレイ３１を始点として第１の読取部１０および第２の読取部４０の一側（図１、２の左側）を経て他側（図１、２の右側）に搬送し第１の排出口６０を介して排出トレイ２２に排出するための搬送路であり、第２の搬送路Ｐ２は、不撓性原稿を、供給トレイ３１を始点として第１の読取部１０および第２の読取部４０の他側（図１、２の右側）を経て一側（図１、２の左側）に搬送し第２の排出口７０を介して排出トレイ１６に排出するための搬送路であるが、詳しくは次のとおりである。
【００５７】
すなわち、第１の搬送路Ｐ１は、可撓性原稿を供給トレイ３１から第１の読取部１０および第２の読取部４０の一側に給送するための略Ｕ字状の第１の給送路Ｐｓ１と、コンタクトガラス２５とコンタクトガラス１３との間で画定され第１の読取部１０および第２の読取部４０の一側から他側に至る略水平な水平搬送路Ｐｈと、可撓性原稿を第１の読取部１０および第２の読取部４０の他側から搬送ガイド２３に沿って搬送し第１の排出口６０を介して排出トレイ２２に排出するための第１の排出路Ｐｄ１とで構成されている。
【００５８】
第１の給送路Ｐｓ１には上述したローラ４１〜４５と複数のコロが配設されており、第１の排出路Ｐｄ１には上述したローラ４６〜４８が配設されている。なお、可撓性原稿を搬送する際には、リードローラ４６は退避位置に位置しており、回転動作はするが可撓性原稿を搬送路上で積極的に搬送する機能は有しておらず、搬送される可撓性原稿を下側から案内する傾斜部材１４の突出ガイド部１４ｄに対して可撓性原稿の上側への飛び出しを規制するガイドとして機能する。
【００５９】
一方、第２の搬送路Ｐ２は、不撓性原稿を供給トレイ３１から第１の読取部１０および第２の読取部４０の他側に給送するための第２の給送路Ｐｓ２と、コンタクトガラス２５とコンタクトガラス１３との間で画定され第１の読取部１０および第２の読取部４０の他側から一側に至る略水平な水平搬送路Ｐｈと、不撓性原稿を第１の読取部１０および第２の読取部４０一側からスキャナ３のコンタクトガラス１３に沿って第２の排出口７０を介して排出トレイ７０に排出するための第２の排出路Ｐｄ２とで構成されている。
【００６０】
第２の給送路Ｐｓ２に沿って上述したローラ５１〜５３、パドル５５、チャンバＣｈ、リードローラ４６等が配設されており、チャンバＣｈ内の空間で不撓性原稿の搬送方向（姿勢）が変更されるが、この詳細（パドル５５、チャンバＣｈおよびリードローラ４６の協動による不撓性原稿の姿勢変更）については後述する（＜姿勢変更＞参照）。不撓性原稿を搬送する際には、リードローラ４６は進出位置に位置付けられる（図８参照）。この時、リードローラ４６は可撓性原稿の第１の排出路Ｐｄ１を塞ぐことになる。しかし、可撓性原稿と不撓性原稿が同時に搬送されることはない為、共有するスペースにリードローラ４６を移動可能にしたことで、製品を小型化することが可能になる。
【００６１】
また、第１の読取部１０および第２の読取部４０は、水平搬送路Ｐｈを介して互いに対向するように配置されており、水平搬送路Ｐｈは第１の搬送路Ｐ１および第２の搬送路Ｐ２の一部として共通に構成されている。さらに、第２の排出路Ｐｄ２はスキャナ３のコンタクトガラス１３に沿って第２の排出口７０まで形成されているので、本実施形態では、第２の排出路Ｐｄ２は略水平な搬送路である。
【００６２】
４．可撓性原稿および不撓性原稿
ここで、可撓性（かとうせい）原稿および不撓性（ふぎょうせい）原稿について説明する。可撓性原稿の典型例として普通紙等のシート状原稿やフィルム状原稿等を挙げることができる。一方、不撓性原稿の典型例としてはＩＣカードや磁気カード等の情報記録カード、トレーディングカードやトランプ等のカード、厚紙、金属板などの板状部材等を挙げることができる。この例からも明らかなとおり、不撓性原稿は、例えば、金属板のように完全な剛性を有する原稿の他に、若干の撓みや曲げが許容される（復元可能）原稿のも含まれるが、上記の例に則して云えば、略Ｕ字状の第１の給送路Ｐｓ１を有する第１の給送路Ｐ１を介して搬送すると原稿自体が損傷してしまう（復元不能）ものを示している。  
【００６３】
（動作）
次に、ＡＤＦ装着スキャナ１の原稿搬送・読取動作について説明する。以下では、説明を簡単にするために、可撓性原稿に普通紙、不撓性原稿に磁気カード（以下、カードと略称する。）を用いた場合について例示する。また、スキャナ３の第１の読取部１０はホーム位置に位置付けられており、第１の読取部１０および第２の読取部４０の調光動作等が完了しているものとする。なお、上述した特許文献に開示された技術や上記構成から普通紙の搬送・読取動作については明らかなためごく簡単に説明し、カードの搬送・読取動作を中心に説明する。
【００６４】
１．普通紙の搬送・読取動作
オペレータにより供給トレイ３１に普通紙が重ねられて載置され第１の供給口３５にこれらの普通紙がセットされると、ローラ４１、４２の回転により１枚目の普通紙が分離され、分離された１枚目の普通紙（の先端）はローラ４２〜４５の回転駆動力により第１の給送路Ｐｓ１上を第１の読取部１０および第２の読取部４０の一側まで搬送される。これらのローラによる普通紙の搬送はさらに継続して行われ、水平搬送路Ｐｈを介して互いに対向するように配置された第１の読取部１０および第２の読取部４０により普通紙の表裏面が読み取られる。
【００６５】
ローラ４７、４８、５４もローラ４１〜４５に同期して回転しており、普通紙は第１の排出路Ｐｄ１上を第１の排出口６０に向けて搬送され第１の排出口６０を介して排出トレイ２２上に排出される。以下、同様に２枚目以降の普通紙の搬送・読取動作が行われ、供給トレイ３１に配された反射型センサが普通紙のエンプティ状態を検出した時点の最後の普通紙の搬送・読取動作が終了すると、上述したローラの回転動作が停止する。なお、供給トレイ３１に配された反射型センサが普通紙のエンプティ状態を検出した旨の情報はＡＤＦ２の制御部からスキャナ３の制御部にも送信され、スキャナ３の制御部は上位機器へデータを送信する際にこの情報を参照する。
【００６６】
２．カードの搬送・読取動作
図５に示すように、オペレータにより供給トレイ３１に形成された第２の供給口３６にカードが重ねて装填（セット）され、スキャナ３の制御部から読取開始の指示を受けると、リードローラ４６を退避位置に移動させる。その後、ローラ５１〜５３の回転により１枚目のカードＣが分離され、分離された１枚目のカードの先端は搬送ガイド２３の他側端とガイドフレーム２６の頂部との間で画定された開口を介してチャンバＣｈ内の空間に案内される。
【００６７】
カードＣは供給ローラ５２の回転駆動力により水平方向に対し斜めの姿勢状態でなおもチャンバＣｈ内の空間に案内される。図６は、カードＣが供給ローラ５２によりチャンバＣｈ内に向けて搬送されカードＣの後端が供給ローラ５２と分離ローラ５３とでニップされたぎりぎりの状態を示している。なお、この時点でカードＣの先端はガイドフレーム２６に当接していない。
【００６８】
＜姿勢変更＞
図７および図８に示すように、供給ローラ５２および分離ローラ５３のニップが解除されたカードＣは、チャンバＣｈ内で落下し、その先端がガイドフレーム２６の内底面若しくはスキャナ３の傾斜部材１４の傾斜部１４ｂの上面に当接する。このとき、パドル５５は回転していない。
【００６９】
カードＣの後端は、そのままガイドフレーム２６に落下するか、パドル５５の羽根に接触してその位置に留まる。チャンバ内に配された原稿落下検知手段７８により、カードＣの後端がガイドフレーム２６に落下したのか判断できる。
【００７０】
供給ローラが回転を始め、所定時間経過後に原稿落下検知手段７８が検知しない場合は、パドル５５を反時計廻り方向に回転させる。供給ローラ５２および分離ローラ５３のニップが解除されたカードＣの後端部は回転するパドル５５の羽根による回転力が加わる。
【００７１】
この結果、カードＣの先端は、供給ローラ５２および分離ローラ５３のニップが解除されチャンバＣｈ内で落下してガイドフレーム２６若しくは傾斜部材１４の上面に当接していた位置に対し、より第１の読取部１０および第２の読取部４０の他側寄りの位置に移動する。すなわち、チャンバＣｈ内でカードＣは落下して搬送方向（姿勢）が変更され、その先端は搬送ガイド２３の一側端とガイドフレーム２６の一側端との間で画定されたチャンバＣｈの開口を飛び出して、カードＣの先端部がリードローラ４６と傾斜部材１４の傾斜部１４ｂとの間で確実にニップされる位置まで移動する。
【００７２】
チャンバＣｈ内に配された透過型センサから成る原稿落下検知手段７８がカードＣの後端を検出した所定時間経過後、リードローラ４６は退避位置から進出位置に移動する。これにより、カードＣの先端部はリードローラ４６と傾斜部材１４の傾斜部１４ｂとの間でニップされる。なお、リードローラ４６を含む他のローラの回転方向は上記「１．普通紙の読取動作」で述べた回転方向とは逆方向に回転する。カードＣはリードローラ４６の回転駆動力により第２の給送路Ｐｓ２上を第１の読取部１０および第２の読取部４０の一側まで搬送される。
【００７３】
図９に示すように、上述したローラによるカードＣの搬送はさらに継続して行われ、水平搬送路Ｐｈを介して互いに対向するように配置された第１の読取部１０および第２の読取部４０により普通紙の表裏面が読み取られる。
【００７４】
＜傾斜部材１４＞
ここで、スキャナ３において、傾斜部材１４を介してコンタクトガラス１３がコンタクトガラス１２より若干高い位置に位置付けられた理由について説明する。
【００７５】
上述したように、スキャナ３の傾斜部材１４にはガイドフレーム２６の一側端を受け入れるために（ガイドフレーム２６の一側端との係合用の）溝状のガイド当接部１４ｃが形成されている。上述したように、不撓性原稿のカードＣはチャンバＣｈ内の空間で一旦略水平方向に姿勢を変化させた後水平搬送路Ｐｈに搬送されるが、その際、カードＣをより水平方向の姿勢とするために、ガイドフレーム２６の一側端はガイド当接部１４ｃに食い込むように（ガイドフレーム２６の一側端がガイド当接部１４ｃの溝状の窪みに収容されるように）位置付けられる。このため（カードＣを水平搬送路Ｐｈに略水平に搬入するために）、傾斜部材１４は強度等の観点から肉厚を確保する必要があり、その結果、スキャナ３においてコンタクトガラス１３はコンタクトガラス１２より若干高い位置に位置付けられる。
【００７６】
傾斜部１４ｂのガイドフレーム２６側の端部は、ガイドフレーム２６の一側端よりも高くなるように設定する。この相互の位置の設定は、ガイドフレーム２６を搬送されるカードＣの先端が傾斜部１４ｂにスムーズに受け渡しを可能とする。
【００７７】
更に、傾斜部１４ｂのコンタクトガラス１３側の端部は、コンタクトガラス１３よりも高い位置となるように設定する。これは、普通紙の搬送経路と関係する。図３に示すとおり、普通紙が第１の読取部１０および第２の読取部４０で表裏面が読み取れられた後、湾曲状に突出した突出ガイド部１４ｄに案内され第１の排出路Ｐｄ１に搬送される。
【００７８】
コンタクトガラス１３から突出ガイド部１４ｄへの原稿の搬送をスムーズに行うために、突出ガイド部１４ｄのコンタクトガラス１３側の端部より、コンタクトガラス１３の方が高い位置に配置されている。これに対し、搬送方向が反対となるカードＣがコンタクトガラス１３の端部に引っかからないように、傾斜部１４ｂのコンタクトガラス１３側の端部は、コンタクトガラス１３よりも高い位置となるように設定する。
【００７９】
さらに図１３（ａ）、（ｂ）を用いて、傾斜部材１４を説明する。傾斜部材１４の略中央部に傾斜部１４ｂが設けられている。傾斜部１４ｂの搬送方向と直交する方向の幅は、カードＣの幅（一般的な磁気カードの規格幅）よりも若干広い程度に設定する。
【００８０】
カードＣの幅の規格値と、普通紙の幅の規格値（例えばＡ６相当の普通紙）は大きく異なる。よって、カードＣの搬送経路として傾斜部材１４の中央部を切り欠き傾斜部１４ｂを設けても、図１３（ｂ）に示すように、傾斜部１４ｂを挟んだ両脇の突出ガイド部１４ｄに普通紙は案内され、第１の排出路Ｐｄ１へと搬送される。
【００８１】
また、傾斜部１４ｂの切り欠きにより形成される傾斜部側壁１４ｆは、カードＣの規格幅よりも若干広い程度に設定されているため、カードＣを第１の読取部１０および第２の読取部４０へ搬送する際に、搬送ガイドとしての機能を果たす。
【００８２】
説明をカードＣの搬送・読取動作に戻すと、図１０に示すように、第１の読取部１０および第２の読取部４０により普通紙の表裏面が読み取られた後、カードＣは第２の排出路Ｐｄ２上を第２の排出口７０まで搬送され、そこから落下することで原稿受け入れ位置に位置付けられた排出トレイ１６上に排出される。
【００８３】
以下、同様に２枚目以降のカードの搬送・読取動作が行われ、供給トレイ３１に配された透過型センサがカードのエンプティ状態を検出した時点の最後のカードＣの読取動作が終了すると、上述したローラの回転動作が停止する。なお、供給トレイ３１に配された透過型センサがカードのエンプティ状態を検出した旨の情報はＡＤＦ２の制御部からスキャナ３の制御部にも送信され、スキャナ３の制御部は上位機器へデータを送信する際にこの情報を参照する。
【００８４】
＜カード供給口＞
次に、カードＣを給紙トレイ３１に載置するための第２の供給口３６について図１４を用いて説明する。第２の供給口３６は、その開口部をカードＣの短手方向の幅に合わせて、スロット状の溝で形成する。これにより、カードＣは長手方向の幅で第２の供給口にセットすることはできず、カードＣがチャンバＣｈ内に落下して姿勢を変えてから、リードローラ４６のニップ位置に未達となる不具合を避けることができる。
【００８５】
また、第２の供給口３６は、カードＣの短手方向の幅に合わせたスロット状の溝であるため、その溝がカードＣの側板となり、幅方向のガイド部材を別途設ける必要がない。
【００８６】
更に、第２の供給口３６は、第１の供給口３５よりも急な角度に傾斜を持たせる。カードＣは第２の供給口３６に差し込み、給紙ローラ５２に当接させてセットする。第２の供給口３６は、普通紙の供給部である第１の供給口３５と異なった角度（より垂直に近い角度）でカードＣをセットすることにより、カードＣの自重を用いてカードを給紙ローラ５２と分離ローラ５３のニップ点である分離部に導くことが可能となり、アームを振り下ろすピックアップ機構を省いた形態で、カードＣを１枚ずつ給送することが可能となる。  
【００８７】
また、第２の供給口３６が供給トレイ３１の搬送方向上流側の位置に形成されているため、カードＣの投入が容易に判断、確認でき、カードＣの誤セットが防止できる。しかもそれだけでなく、カードＣがセットされている状態で第１の供給口３５に普通紙をセットしようとすると、原稿が持ち上げられるため、カード原稿と普通紙原稿を同時にセットしてしまうことを防止することもできる。
【００８８】
＜カードの搬送制御＞
カードＣの、読取開始のスタートから第１の読取部１０および第２の読取部４０で読取が開始されるまでの制御について図１５を用いて説明する。オペレータが図示しない上位機器からの読取開始指令（コマンド）をＡＤＦ装着スキャナ１の制御部に送信する。読取開始のコマンドを受信すると、最初にリードローラ４６を退避位置に退避させる。
【００８９】
これは、可撓性原稿の場合は、リードローラ４６がその搬送路を塞ぐ位置を中継して回動移動するため、搬送路を確保するためにリードローラ４６は退避させる必要がある。不撓性原稿の場合は、リードローラ４６がガイドフレーム２６に当接していると、上方から落下させるカードＣがチャンバＣｈ内でその姿勢を変えることの障害となり、また、リードローラ４６のニップ点にカードＣが到達することができない。よって、読取開始コマンドを受信して、最初にリードローラ４６を退避させる動作は、可撓性原稿、不撓性原稿供に共通の動作となる。
【００９０】
次に第２の供給口３６に原稿（カードＣ）がセットされているか、第２の供給口３６内に設けたセンサで検出を行う。供給口３６にカードがセットされていない場合は、可撓性原稿読取の制御ステップへと移行する。（ここでは、カードの搬送制御を主に説明するため、可撓性原稿の読取制御については細述しない。）
【００９１】
第２の供給口３６にカードがセットされていることが検知されると、供給ローラ５２、繰出しローラ５１を回転させ、第２の給紙口３６に装填されたカードＣを１枚ずつ分離搬送する。カードＣか供給開始されてから所定時間経過後に原稿落下検知センサが検知しない場合、パドル５５を回転させる。
【００９２】
カードＣが供給ローラ５２と分離ローラ５３のニップ点から解除され、チャンバＣｈ内に落下するが、カードＣの後端がパドル５５の羽根に引っ掛って停止する可能性があるが、パドル５５の回転によりカードＣの後端部が押し出され、確実にリードローラ４６のニップ点までカードＣを押し出すことができる。
【００９３】
カードＣの直接の落下、もしくはパドル５５の押し出しによる追加の落下で、原稿落下検知手段がカードＣの後端部を検知し、リードローラ４６を進出位置に移動させる。移動させたリードローラ４６は、ガイドフレーム２６もしくは傾斜部１４ｂの上に進んだカードＣにニップし、第１の読取部１０および第２の読取部４０へとカードＣを搬送することができる。その後、第１の読取部１０および第２の読取部４０にてカードＣの表裏を読取開始する。
【００９４】
（作用効果等）
次に、ＡＤＦ装着スキャナ１の作用効果等について説明する。
【００９５】
本実施形態のＡＤＦ装着スキャナ１では、可撓性原稿（普通紙）の搬送路である第１の搬送路Ｐ１と不撓性原稿（カードＣ）の搬送路である第２の搬送路Ｐ２との始点をともに原稿供給部３０を構成する供給トレイ３１としている。このため、可撓性原稿および不撓性原稿に拘わらず原稿のセット位置の視認性を高めることができ、この結果、原稿を原稿供給部３０にセットする際の操作性を向上させることができる。
【００９６】
また、本実施形態のＡＤＦ装着スキャナ１では、可撓性原稿（普通紙）を、第１の搬送路上Ｐ１を、供給トレイ３１を始点として第１の読取部１０および第２の読取部４０の一側を経て他側に搬送して第１の読取部１０および第２の読取部４０で読み取り、不撓性原稿（カードＣ）を、第２の搬送路Ｐ２上を、供給トレイ３１を始点として第１の読取部１０および第２の読取部４０の他側を経て一側に搬送して第１の読取部１０および第２の読取部４０で読み取るので、スキャナ３の第１の読取部１０を共用することができる。
【００９７】
また、本実施形態のＡＤＦ装着スキャナ１では、ＡＤＦ２の第２の読取部４０をスキャナ３に備えられホーム位置に位置付けられた第１の読取部１０に対向するように配置したので、対向配置されない場合と比較して、ＡＤＦ装着スキャナ１を構成するスキャナ３およびＡＤＦ２の小型化を図ることができる。
【００９８】
さらに、本実施形態のＡＤＦ装着スキャナ１では、不撓性原稿（カードＣ）を落下させて搬送方向を変更するためのチャンバＣｈ内の空間を第２の搬送路Ｐ２を構成する第２の搬送路Ｐｓ２の一部としている。供給トレイ３１に対して斜設された第１の供給口３５を介して（水平方向に対して傾斜状態で）搬送されたカードＣを、回動機構で挟持して略水平状態まで回動させた後略水平状態のまま落下させたり、回動後エレベータを用いたりする構成も考えられるが、そのような構成は装置の大型化を招くのに対して、本実施形態ではチャンバＣｈで足りるため、装置の小型化を図ることができる。
【００９９】
また、本実施形態のＡＤＦ装着スキャナ１では、第１の読取部１０および第２の読取部４０の他側と第１の排出口６０との間に、第１の搬送路Ｐ１に沿うように不撓性原稿（カードＣ）を案内するための搬送ガイド２３が配されており、搬送ガイド２３はチャンバＣｈの一面を構成している。このため、さらに装置の小型化を図ることができる。
【０１００】
さらに、本実施形態のＡＤＦ装着スキャナ１では、ローラを正逆転することで（特に、第２の読取部４０の一側に配されたリードローラ４５を正逆転駆動することで）、可撓性原稿（普通紙）および不撓性原稿（カードＣ）を、それぞれ第１の搬送路Ｐ１、第２の搬送路Ｐ２上を搬送するように構成したので、一層装置の小型化を図ることができる。
【０１０１】
また、本実施形態のＡＤＦ装着スキャナ１では、第２の搬送路Ｐ２を構成する第２の給送路Ｐｓ２において、チャンバＣｈ内でカードＣの後端部にパドル５５の羽根による回転力が加えられ、カードＣの先端部がリードローラ４６と傾斜部１４ｂとの間で確実にニップ可能な位置まで移動するので、第２の給送路Ｐｓ２上でカードＣを確実に搬送することができる。さらに、本実施形態のＡＤＦ装着スキャナ１では、スキャナ３の傾斜部材１４にガイドフレーム２６の一側端を受け入れるガイド当接部１４ｃを形成したので、不撓性原稿のカードＣに余分な力を加えることなく、水平搬送路Ｐｈに搬入することができる。
【０１０２】
なお、本実施形態では、原稿読取装置としてスキャナ３を例示したが、本発明はこれに限るものではない。例えば、スキャナの他に、背景技術欄で例示したファクシミリ、複写機等の原稿読取装置にも適用可能である。
【０１０３】
また、本実施形態では、ＡＤＦ２側でガイドフレーム２６から延設された排出トレイ２２を例示したが、第１の排出口６０の下方にはスキャナ３のコンタクトガラス１３が配置されるため（コンタクトガラス１３が代用できるため）、排出トレイ２２はなくてもよく、または、排出トレイ２２はガイドフレーム２６若しくは本体部５０に対して着脱可能であってもよい。
【０１０４】
また、本実施形態では、断面直線状の搬送ガイド２３を用いて断面三角形状のチャンバＣｈを例示したが、本発明はこれに限るものではない。例えば、断面直線状の搬送ガイド２３に代えて断面曲線状の搬送ガイドを用いるようにしてもよい。このような態様では、当該搬送ガイドはチャンバＣｈの２面を構成することとなる。
【０１０５】
さらに、本実施形態では、リードローラ４６の退避位置と進出位置との間の進退をアームの回動動作で移動するソレノイドとバネで行う例を示したが、本発明はこれに制限されるものではない。例えば、ソレノイドとバネ用いて移動を行うようにしてもよい。
【０１０６】
また、本実施形態では、すべての駆動ローラを単一のモータで駆動する例を示したが、クラッチ機構を採用して特定のローラのみ駆動させるようにしてもよい。例えば、第１の搬送路Ｐ１を構成する第１の給送路Ｐｓ１に配されたローラ４１〜４５のうち、カードＣを搬送する際は、第２の搬送路Ｐ２を構成する第２の排出路Ｐｄ２上に配されたリードローラ４５のみ逆転駆動するようにしてもよい。
【０１０７】
さらに、本実施形態では、ＡＤＦ２の第２の読取部４０の位置を、スキャナ３のホーム位置に位置付けられた第１の読取部１０に対向する位置とした例を示したが、本発明はこれに制限されるものではない。第１の読取部１０および第２の読取部４０は水平搬送された原稿を読み取れればよいため、両者が対向することなく離間していてもよい。また、スキャナ３の第１の読取部１０はガイドロッド１５上を移動可能なため、この移動可能な範囲において、ＡＤＦ２の制御部のＲＯＭに格納された情報に従って、スキャナ３の第１の読取部１０を移動させ、スキャナ３の第１の読取部１０とＡＤＦ２の第２の読取部４０とが対向しないようにしてもよい。
【０１０８】
さらにまた、本実施形態では、供給トレイ３１に第１の供給口３５を斜設してカードＣをチャンバＣｈ内に搬送する例を示したが、本発明はこれに限るものではない。例えば、供給トレイ３１は、供給トレイ３１に対して回動可能で供給トレイ３１より小さなトレイを供給トレイ３１の一部として有していてもよい。このような態様では、オペレータが小さなトレイにカードをセットし回動させることで、若しくは、モータで回動させることで、カードをローラ５１〜５３に対して適正な位置（角度）に位置付けるようにしてもよい。
【産業上の利用可能性】
【０１０９】
以上述べたとおり、本発明は、原稿に拘わらずセット位置の視認性に優れ原稿読取装置の読取部を共用可能な原稿読取装置および原稿搬送装置を提供するものであるため、原稿読取装置および原稿搬送装置の製造、販売に寄与するので、産業上の利用可能性を有する。
【符号の説明】
【０１１０】
１  ＡＤＦ装着スキャナ
２  ＡＤＦ（原稿搬送装置）
３  スキャナ（原稿読取装置）
１０  第１の読取部（第１の原稿読取手段）
２３  搬送ガイド（ガイド部材）
３０  原稿供給部（供給部）
４０  第２の読取部（第２の原稿読取手段）
４５  リードローラ（第１の給送手段の一部、少なくとも１つのローラ）
４６  リードローラ（第２の給送手段の一部）
６０  第１の排出口
７０  第２の排出口
Ｃ  カード（不撓性原稿）
Ｃｈ  チャンバ
Ｐ１  第１の搬送路
Ｐｓ１  第１の給送路
Ｐｄ１  第１の排出路
Ｐｈ  水平搬送路
Ｐ２  第２の搬送路
Ｐｓ２  第２の給送路
Ｐｄ２  第２の排出路
Ｐ     普通紙
【図１】
2016127380.tif 000003
【図２】
2016127380.tif 000004
【図３】
2016127380.tif 000005
【図４】
2016127380.tif 000006
【図５】
2016127380.tif 000007
【図６】
2016127380.tif 000008
【図７】
2016127380.tif 000009
【図８】
2016127380.tif 000010
【図９】
2016127380.tif 000011
【図１０】
2016127380.tif 000012
【図１１】
2016127380.tif 000013
【図１２】
2016127380.tif 000014
【図１３】
2016127380.tif 000015
【図１４】
2016127380.tif 000016
【図１５】
2016127380.tif 000017